(57)【要約】【課題】映像表示装置において、クロストークの発生を軽減させながら、更なる画質改善を行なう。【解決手段】駆動階調テーブルは、駆動階調が増加する毎に駆動状態となるサブフレーム数が増加し、全サブフレームを連続した複数のサブフレームを含む複数のサブフレームグループに分割したとき、階調が増加するに従い、前記複数のサブフレームグループの内、最も時間的に後のサブフレームグループから時間的に前のサブフレームグループに順に駆動状態となるサブフレームが増加するとともに、前記サブフレームグループ内では時間的に前のサブフレームから時間的に後のサブフレームへ順番に駆動状態となるサブフレームが増加するように構成されたテーブルであることを特徴とする。【選択図】図５
2020016765.tif 000002
【特許請求の範囲】
【請求項１】
Ｎを自然数としたとき、Ｎ＋１階調の映像データを駆動階調テーブルに基づいてＮビットのサブフレームデータに変換するサブフレームデータ生成部と、
表示素子と、
前記サブフレームデータに基づいて前記表示素子を駆動する駆動部と
を備え、
前記駆動階調テーブルは、駆動階調が増加する毎に駆動状態となるサブフレーム数が増加し、全サブフレームを連続した複数のサブフレームを含む複数のサブフレームグループに分割したとき、階調が増加するに従い、前記複数のサブフレームグループの内、最も時間的に後のサブフレームグループから時間的に前のサブフレームグループに順に駆動状態となるサブフレームが増加するとともに、前記サブフレームグループ内では時間的に前のサブフレームから時間的に後のサブフレームへ順番に駆動状態となるサブフレームが増加するように構成されたテーブルである
ことを特徴とする映像表示装置。
【請求項２】
Ｎを自然数としたとき、Ｎ＋１階調の映像データを駆動階調テーブルに基づいてＮビットのサブフレームデータに変換するステップと、
前記サブフレームデータに基づいて表示素子を駆動するステップと
を有し、
前記駆動階調テーブルは、駆動階調が増加する毎に駆動状態となるサブフレーム数が増加し、全サブフレームを連続した複数のサブフレームを含む複数のサブフレームグループに分割したとき、階調が増加するに従い、前記複数のサブフレームグループの内、最も時間的に後のサブフレームグループから時間的に前のサブフレームグループに順に駆動状態となるサブフレームが増加するとともに、前記サブフレームグループ内では時間的に前のサブフレームから時間的に後のサブフレームへ順番に駆動状態となるサブフレームが増加するように構成されたテーブルである
ことを特徴とする映像表示方法。
【発明の詳細な説明】
【技術分野】
【０００１】
本発明は、映像表示装置の画質改善に関する。
【背景技術】
【０００２】
特に、左目用映像信号と右目用映像信号とを交互に表示する立体映像表示用プロジェクタのように、時間的に連続性のない映像を交互に表示する映像表示装置の場合、お互いの映像信号による影響（以下、クロストークと称する）を減少させることが重要となる。特許文献１には、立体映像表示用プロジェクタにおいてクロストークを減少させるための技術について記載されている。
【先行技術文献】
【特許文献】
【０００３】
【特許文献１】特許第５６０５１７５号公報
【発明の概要】
【発明が解決しようとする課題】
【０００４】
時間的に連続性のない映像を交互に表示するプロジェクタとしては、立体映像表示用に限らず、例えば可視光映像と赤外光映像とを交互に表示させ、裸眼で視聴する人と暗視ゴーグルを装着して視聴する人に異なる映像を視聴させるプロジェクタも実用化されており、このような背景から、クロストークを減少させることは画質改善の重要な要素として、より注目されてきている。
また、表示素子の高解像度化に伴って、映像表示装置で表示する画像が、より鮮明になることで、細かい画質劣化が目立ち易くなってきている。このため、映像表示装置には、更なる画質改善が望まれている。
【０００５】
本発明は、映像表示装置において、クロストークの発生を軽減させながら、更なる画質改善を行なうことを目的とする。
【課題を解決するための手段】
【０００６】
本発明は、Ｎを自然数としたとき、Ｎ＋１階調の映像データを駆動階調テーブルに基づいてＮビットのサブフレームデータに変換するサブフレームデータ生成部と、表示素子と、前記サブフレームデータに基づいて前記表示素子を駆動する駆動部とを備え、前記駆動階調テーブルは、駆動階調が増加する毎に駆動状態となるサブフレーム数が増加し、全サブフレームを連続した複数のサブフレームを含む複数のサブフレームグループに分割したとき、階調が増加するに従い、前記複数のサブフレームグループの内、最も時間的に後のサブフレームグループから時間的に前のサブフレームグループに順に駆動状態となるサブフレームが増加するとともに、前記サブフレームグループ内では時間的に前のサブフレームから時間的に後のサブフレームへ順番に駆動状態となるサブフレームが増加するように構成されたテーブルであることを特徴とする映像表示装置を提供する。
また本発明は、Ｎを自然数としたとき、Ｎ＋１階調の映像データを駆動階調テーブルに基づいてＮビットのサブフレームデータに変換するステップと、前記サブフレームデータに基づいて表示素子を駆動するステップとを有し、前記駆動階調テーブルは、駆動階調が増加する毎に駆動状態となるサブフレーム数が増加し、全サブフレームを連続した複数のサブフレームを含む複数のサブフレームグループに分割したとき、階調が増加するに従い、前記複数のサブフレームグループの内、最も時間的に後のサブフレームグループから時間的に前のサブフレームグループに順に駆動状態となるサブフレームが増加するとともに、前記サブフレームグループ内では時間的に前のサブフレームから時間的に後のサブフレームへ順番に駆動状態となるサブフレームが増加するように構成されたテーブルであることを特徴とする映像表示方法を提供する。
【発明の効果】
【０００７】
本発明によれば、映像表示装置において、クロストークの発生を軽減させながら、更なる画質改善を行なうことができる。
【図面の簡単な説明】
【０００８】
【図１】本実施形態に係る映像表示装置の概略構成を示す図である。
【図２】液晶表示素子における画素回路の構成を示す図である。
【図３】液晶表示素子の入力電圧と出力光の強度との関係を示す図である。
【図４】駆動回路の構成例を示すブロック図である。
【図５】本実施形態の駆動階調テーブルの一例を示す図である。
【図６】立体表示におけるクロストークを説明するための図である。
【図７】立体表示におけるクロストークを説明するための他の図である。
【図８】立体表示におけるクロストークを説明するための他の図である。
【図９】立体表示におけるクロストークを説明するための他の図である。
【図１０】サブフレームテーブルの比較例を示す図である。
【図１１】連続した２フレームにおけるサブフレームデータを比較する図である。
【図１２】隣り合った画素において駆動状態が異なる場合を示す図である。
【図１３】駆動階調テーブルの他の例を示す図である。
【発明を実施するための形態】
【０００９】
以下、本発明に係る映像表示装置の一実施形態について、添付図面を参照して説明する。本実施形態に係る映像表示装置の概略構成を図１に示す。以下では表示パネルとしてアクティブマトリクス型の反射型液晶表示素子を備えた投射型映像表示装置を例にして説明する。なお、本発明の映像表示装置は、液晶表示装置（ＬＣＤ）に限らず、ＰＤＰ（Plasma Display Panel），ＤＬＰ（Digital Light Processing）などのパネル型表示装置に適用することができる。
【００１０】
映像表示装置１００は、照明光学系１０、偏光ビームスプリッタ（以下、ＰＢＳという）１２、液晶表示素子１４、投射レンズ２４を含んで構成される。液晶表示素子１４は、ｍ行ｎ列のマトリクス状に配置されたｍ×ｎ個の画素から構成される。ｍとｎは自然数であり、例えばｍ＝３，８４０，ｎ＝２，１６０である。液晶表示素子１４は、対向電極２２と、画素電極１８との間に液晶２０が封止された構造を有する。画素回路１６は、各画素の画素電極１８に電圧を印加する。本実施形態では反射型液晶表示素子を使用する例を説明するが、反射型に限定せず、透過型液晶表示素子を使用して構成することも可能である。
【００１１】
照明光学系１０から射出した照明光はＰＢＳ１２に入射する。ＰＢＳ１２は、ｓ偏光とｐ偏光の一方を反射し他方を透過する特性を有する。本実施形態では、ＰＢＳ１２がｓ偏光を反射し、ｐ偏光を透過する構成とする。照明光のｓ偏光成分はＰＢＳ１２で反射し、液晶表示素子１４に入射する。照明光のｐ偏光成分はＰＢＳ１２を透過し、以降照明光としては使用されない。照明光学系１０は、既知の方法で照明光の偏光状態をｓ偏光に揃える構成としても良い。
【００１２】
液晶表示素子１４の液晶２０は、画素回路１６によって画素電極１８と対向電極２２の間に印加される電圧に応じて入射したｓ偏光を変調する。対向電極２２に入射したｓ偏光は、画素電極１８で反射して対向電極２２から射出するまでの過程で変調を受け、ｐ偏光とｓ偏光からなる光として対向電極２２から射出される。対向電極２２から射出された光は変調された光であるｐ偏光成分のみがＰＢＳ１２を通過し、ｓ偏光成分はＰＢＳ１２で反射される。ＰＢＳ１２を通過したｐ偏光は投射レンズ２４によって射出され、図示しないスクリーンに投射されて画像が表示される。
【００１３】
図２は液晶表示素子１４における画素回路１６の構成を示す図である。液晶表示素子１４の個々の画素は画素電極１８と対向電極２２の間に液晶２０がはさまれた構造になっている。破線で示した画素回路１６は、サンプルホールド部２６と電圧選択回路２８からなる。サンプルホールド部２６はＳＲＡＭ構造のフリップフロップよりなる。サンプルホールド部２６は列データ線Ｄと行選択線Ｗとに接続されている。サンプルホールド部２６の出力は電圧選択回路２８へと接続されている。電圧選択回路２８はブランキング電圧線Ｖ０、駆動電圧線Ｖ１に接続されている。電圧選択回路２８は画素電極１８へと接続され、画素電極１８に所定の電圧を与える。対向電極２２の電圧の値を共通電圧Ｖｃｏｍと称する。
【００１４】
図３は液晶表示素子１４の入力電圧と出力光の強度との関係を示す図である。図３において、横軸は入力電圧であり、画素電極１８と対向電極２２との間の電位差、すなわち液晶２０の駆動電圧を示す。縦軸は、液晶２０から射出される出力光の強度を示す。駆動電圧が０（たとえば、画素電極１８と対向電極２２がともにＧＮＤ）のときは、出力光の強度が小さく黒状態となる。駆動電圧を上げるに連れて出力光の強度が高くなる。出力光の強度が最大となるときの駆動電圧を飽和電圧Ｖｗと称する。
【００１５】
次に、画素回路１６を駆動する駆動回路について説明する。図４は駆動回路の構成例を示すブロック図である。駆動回路１０２は、信号処理部３０、サブフレームデータ生成部３２、メモリ制御部３４、フレームバッファ３６、データ転送部３８、駆動制御部４０、電圧制御部４２、ソースドライバ４４、ゲートドライバ４６を含んで構成され、ｍ行ｎ列のマトリクス状に配置された液晶表示素子１４の画素回路１６をそれぞれ駆動する。
【００１６】
信号処理部３０は、入力映像信号に対し、周辺画素間やフレーム間の演算を行うことでＮ＋１（Ｎは自然数）階調の映像データを生成し、生成した映像データをサブフレームデータ生成部３２に送る。サブフレームデータ生成部３２は不揮発性の記憶媒体を含んで構成され、記憶している駆動階調テーブルに基づき、Ｎ＋１階調の映像データを１と０からなるサブフレームデータに変換する。信号処理部３０とサブフレームデータ生成部３２は、ハードウェアによって構成されていてもよいし、ソフトウェアによって構成されていてもよい。ハードウェアとソフトウェアとの使い分けは任意であり、両者が混在していてもよい。
【００１７】
本実施形態では１フレームをＮ個のサブフレームに分割し、各サブフレーム期間における液晶表示素子１４の画素電極１８と対向電極２２の間の印加電圧のオンオフを切り換えることで階調表示を行なう。尚、時間的に前のサブフレームから順にＳＦ１，ＳＦ２，・・・ＳＦＮとする。本実施形態では、Ｎ＝１２の場合を例として説明する。尚、Ｎの値は１２に限定せず種々設定可能である。例えばＮの値は３２や６４でも良い。
【００１８】
本実施形態における駆動階調テーブルの一例を図５に示す。駆動階調テーブルの縦の欄は階調を示し、映像データの階調に対応した駆動階調テーブルの値に基づき、サブフレームデータを生成する。
【００１９】
駆動階調テーブルは図５に示すように、ひとつのフレームを時間的に連続した４つのサブフレームを含む３つのサブフレームグループ（ＳＦ１〜ＳＦ４、ＳＦ５〜ＳＦ８、ＳＦ９〜ＳＦ１２）に分割し、第１の階調ではサブフレームグループの内、最も時間的に後になるサブフレームグループ（ＳＦ９〜ＳＦ１２）の中で最も時間的に前になるサブフレーム（ＳＦ９）を駆動状態とし、階調が増加するごとに駆動状態となるサブフレームが時間的に後に伸びるように、駆動状態となるサブフレーム数が増加する。また、サブフレームグループに含まれるサブフレームがすべて駆動状態となった状態で更に駆動階調が増加した場合、次に時間的に前のサブフレームグループにおける最も時間的に前のサブフレームを駆動状態とする。
【００２０】
具体的には、ＳＦ９からＳＦ１２で構成されるサブフレームグループに含まれるサブフレームが全て駆動状態となった状態で更に駆動階調が増加した場合、ＳＦ５からＳＦ８で構成されるサブフレームグループでもっとも時間的に前のサブフレームであるＳＦ５が駆動状態となる。同様に、ＳＦ５からＳＦ８で構成されるサブフレームグループに含まれるサブフレームが全て駆動状態となった状態で更に駆動階調が増加した場合、ＳＦ１からＳＦ４で構成されるサブフレームグループでもっとも時間的に前のサブフレームであるＳＦ１が駆動状態となる。
【００２１】
図４に戻り、サブフレームデータ生成部３２から出力されたサブフレームデータは、メモリ制御部３４にて、サブフレーム毎に分割されたフレームバッファ３６に格納される。フレームバッファ３６はダブルバッファの構造になっており、フレームバッファ０にデータを格納中は、フレームバッファ１のデータがデータ転送部３８を経由して液晶表示素子１４に転送されることになり、次のフレームでは、前フレーム期間中に格納されたフレームバッファ０のデータがデータ転送部３８を経由して液晶表示素子１４に転送され、フレームバッファ１には入力された映像信号データのサブフレームデータ作成部３２からの出力データが格納される。
【００２２】
駆動制御部４０は、水平スタート信号ＨＳＴ、及び水平クロック信号ＨＣＫに基づいて、サブフレーム毎の処理のタイミング等を制御しており、データ転送部３８への転送指示およびゲートドライバ４６の制御を行う。データ転送部３８は、駆動制御部４０からの指示に従い、メモリ制御部３４に指示を行ない、指定したサブフレームのデータをメモリ制御部３４から受け取りソースドライバ４４へと転送する。
【００２３】
ソースドライバ４４は、１ライン分のデータをデータ転送部３８より受け取る毎に、液晶表示素子１４の対応する画素回路１６へ列データ線Ｄ０−Ｄｎを用いて同時に転送する。この時、ゲートドライバ４６では、駆動制御部４０からの垂直スタート信号（ＶＳＴ）／垂直シフトクロック信号（ＶＣＫ）により指定された行ｙの行選択線Ｗｙをアクティブにし、指定された行ｙの全ての列の画素の画素回路１６へとデータが転送される。
【００２４】
画素回路１６はサブフレームデータに基づき液晶表示素子１４の画素電極１８と対向電極２２の間の印加電圧をオンオフする。サブフレームデータの０は印加電圧オフ（電圧０）に対応し、１は印加電圧オン（電圧Ｖｗ）に対応する。
【００２５】
以下、他のサブフレームテーブルを使用した場合と比較して、本実施形態のサブフレームテーブルを使用することの効果を説明する。
【００２６】
（クロストークの比較）
先ず、立体画像を表示する場合を例にして、クロストークについて説明する。図６は、低い階調（Ｌ）の中に高い階調（Ｈ）の円形の領域が存在する映像を表示している様子を表す。
【００２７】
図７は図６の画像を立体映像表示装置にて立体表示をしたときにスクリーン上に投影される像を示す図である。スクリーンには図７のように右目用の画像と左目用の画像が時間的に交互に表示される。図８は、図７に示す領域１、領域２、領域３、領域３‘のそれぞれにおける画面上の階調の時間変化を示す図である。図８のように、領域１では階調Ｈが、領域２では階調Ｌが連続して表示されるのに対して、領域３および領域３’では階調Ｈと階調Ｌが時間的に交互に表示される。
【００２８】
図９は図６の画像を立体映像表示装置にて立体表示をしたときに液晶シャッタめがねを装着した際の左目での見え方を示す図である。観察者には、図９のように、領域１では階調Ｈに、領域２では階調Ｌに見える。領域３は階調Ｌに見えなければならない。しかし、前のフレーム（右目用フレーム）の階調がＨであることが原因で階調Ｌよりも高い階調に表示されてしまう場合がある。そのような場合、領域３の階調は右目用画像の階調（階調Ｈ）に近づくため、観察者には、クロストークとして認識される。
【００２９】
以下、本実施形態のサブフレームテーブルを使用した場合と比較例のサブフレームテーブルを使用した場合についてクロストークの発生度合いを比較する。サブフレームテーブルの比較例を図１０に示す。図１０（ａ）のサブフレームテーブルを比較例１、図１０（ｂ）のサブフレームテーブルを比較例２とする。図１０（ａ）のサブフレームテーブルは、階調１の時に最初のサブフレームであるＳＦ１のみが駆動状態となり、階調が増えるにしたがい駆動状態となるサブフレームが時間的に後方に増えていく。図１０（ｂ）のサブフレームテーブルは、階調１の時に最後のサブフレームであるＳＦ１２のみが駆動状態となり、階調が増えるにしたがい駆動状態となるサブフレームが時間的に前方に増えていく。
【００３０】
図１１は、連続した２フレーム（Ｆ１、Ｆ２）におけるサブフレームデータを比較する図である。図の横軸は時間の経過を表し、縦軸は表示素子１４への印加電圧のＯＮ／ＯＦＦ状態を表す。
【００３１】
図１１（ａ）、（ｂ）は、比較例１の駆動階調テーブルを使用した場合で、図１１（ａ）はＦ１が高階調の場合、図１１（ｂ）はＦ１が低階調の場合を示す。Ｆ１が高階調である場合の、Ｆ１表示後にＦ２を表示するまでのブランキング期間Ｐ１と、Ｆ１が低階調である場合の、Ｆ１表示後にＦ２を表示するまでのブランキング期間Ｐ２とが大きく異なっていることがわかる。Ｆ２表示前のブランキング期間が異なることにより、Ｆ２の輝度に差が生じる。具体的には、Ｆ２表示前のブランキング期間が短い方が、Ｆ１のＦ２に対する影響度合いが大きく、Ｆ２における輝度が高くなる。従って、比較例１の駆動階調テーブルを使用した場合、任意のフレームにおいて、前のフレームの階調の違いが当該フレームの輝度レベルに影響を与え、クロストークとなって現れる。
【００３２】
図１１（ｃ）、（ｄ）は、比較例２の駆動階調テーブルを使用した場合で、図１１（ｃ）はＦ１が高階調の場合、図１１（ｄ）はＦ１が低階調の場合を示す。Ｆ１が高階調である場合の、Ｆ１表示後にＦ２を表示するまでのブランキング期間Ｐ３と、Ｆ１が低階調である場合の、Ｆ１表示後にＦ２を表示するまでのブランキング期間Ｐ４とは同じ時間になる。従って、Ｆ２表示前のブランキング期間が前のフレームの階調によらず一定になるため、比較例１と比較してクロストークの発生を抑制することができる。
【００３３】
図１１（ｅ）、（ｆ）は、本実施形態の駆動階調テーブルを使用した場合で、図１１（ｅ）はＦ１が高階調の場合、図１１（ｆ）はＦ１が低階調の場合を示す。Ｆ１が高階調である場合の、Ｆ１表示後にＦ２を表示するまでのブランキング期間Ｐ５と、Ｆ１が低階調である場合の、Ｆ１表示後にＦ２を表示するまでのブランキング期間Ｐ６とは同じ時間になる。従って、Ｆ２表示前のブランキング期間が前のフレームの階調によらず一定になるため、比較例２と同様に、比較例１と比較してクロストークの発生を抑制することができる。
【００３４】
すなわち、比較例１の駆動階調テーブルを使用した場合と比較し、比較例２および本実施形態の駆動階調テーブルを使用した場合には、クロストークを抑制することができる。
【００３５】
（ディスクリネーションの比較）
次にディスクリネーションの発生について比較する。
【００３６】
デジタル駆動の場合、隣り合った画素間で駆動状態（印加電圧のＯＮ／ＯＦＦ）が異なることが頻繁に起こる。図１２は、隣り合った画素ＰＡとＰＢにおいて、画素ＰＡが非駆動状態で画素ＰＢが駆動状態である場合を示す。つまり、画素ＰＡの画素電極１８Ａの電位が０（Ｖ）、画素ＰＢの画素電極１８Ｂの電位がＶｗ（Ｖ）、共通電極１０の電位が０（Ｖ）であるとする。
【００３７】
このとき、画素ＰＢの画素電極１８Ｂと対向電極２２間の電位差に応じて電界５０が生じる。また、画素ＰＡの画素電極１８Ａと画素ＰＢの画素電極１８Ｂ間にも電位差が生じ、横方向に電界が生じてしまう。このような横方向電界５２は、画素間の液晶の動きに意図しない混乱を発生させ、画質劣化の一因となる。横方向電界による画質劣化は、隣接する画素が両者とも非駆動状態である状態から片方だけが駆動状態になった時に多く発生し、隣接する画素が両者とも駆動状態である状態から片方だけが非駆動状態になった時には発生しにくいことがわかっている。横方向電解による画質劣化現象は、ディスクリネーションと称される。
【００３８】
図１０に示す比較例１と２の駆動階調テーブルを使用した場合と、図５に示す本実施形態の駆動階調テーブルを使用した場合とで、ディスクリネーションの発生について比較する。
図１０（ｂ）の比較例２の駆動階調テーブルを使用した場合に隣接する画素の階調が異なる場合、例えば隣接する画素の階調が５と６の場合を想定する。このとき、サブフレーム６（ＳＦ６）までは両方の画素とも非駆動状態となり、サブフレーム７（ＳＦ７）で階調が６の画素のみが駆動状態となる。この場合、隣接する画素が両方とも非駆動の状態から片方だけ駆動状態に移行するので、ディスクリネーションが多く発生する。このように比較例２の駆動階調テーブルでは、隣接する画素の画素値が異なる場合、ディスクリネーションが発生し易い。
【００３９】
次に、図１０（ａ）の比較例１の駆動階調テーブルを使用した場合を想定する。比較例１の駆動階調テーブルを使用した場合は、隣接する画素の片方の階調が０の場合を除いて、隣接する画素の両方が非駆動状態である状態から片方のみ駆動状態になるという状況はない。例えば、隣接する画素の階調が５と６の場合を想定する。このとき、サブフレーム５（ＳＦ５）までは両方の画素とも駆動状態となり、サブフレーム６（ＳＦ６）で階調が５の画素のみが非駆動状態となる。この場合、両方の画素が駆動状態である状態から片方の画素が非駆動状態に変化するので、ディスクリネーションは発生しにくい。
【００４０】
図５の本実施形態の駆動階調テーブルを使用した場合、隣接する画素の階調の組み合わせが、１から４の場合、５から８の場合、９から１２の場合において比較例１の駆動階調テーブルを使用した場合と同様に、隣接する画素の両方が駆動状態である状態から片方の画素が非駆動状態に変化するので、ディスクリネーションは発生しにくい。通常の映像信号では隣接する画素の画素値が近い場合が多いので、比較例２の駆動階調テーブルを使用した場合と比較して本実施形態の駆動階調テーブルを使用した場合はディスクリネーションの発生が大幅に抑制される。
【００４１】
以上説明したように、本実施形態の駆動階調テーブルを使用することで、クロストークの発生と、ディスクリネーションの発生の双方を抑制することができる。このためクロストークの発生を軽減させながら、更なる画質改善を実現することができる。
【００４２】
（他の実施例）
駆動階調テーブルの他の実施例を図１３に示す。図１３（ａ）は、１２のサブフレームを２つのサブフレームグループに分割する例を示し、図１３（ｂ）は１２のサブフレームを４つのサブフレームグループに分割する例を示す。
【００４３】
本発明に係る前記駆動階調テーブルは、駆動階調が増加する毎に駆動状態となるサブフレーム数が増加し、全サブフレームを連続した複数のサブフレームを含む複数のサブフレームグループに分割したとき、階調が増加するに従い、複数のサブフレームグループの内、最も時間的に後のサブフレームグループから時間的に前のサブフレームグループに順に駆動状態となるサブフレームが増加するとともに、サブフレームグループ内では時間的に前のサブフレームから時間的に後のサブフレームへ順番に駆動状態となるサブフレームが増加するように構成されたテーブルである
【００４４】
サブフレームグループの分割数を多くするとクロストークの抑制に有利であり、分割数を少なくするとディスクリネーションの抑制に有利である。分割数については画質を観察しながら任意に設定すればよい。
【００４５】
なお。本発明は上述した実施形態に限定されるものではなく、本発明の要旨を逸脱しない範囲において種々変更可能である。
【符号の説明】
【００４６】
１４  表示素子、１６  画素回路、１８  画素電極、２０  液晶、
２２  対向電極、  ３０  信号処理部、３２  サブフレームデータ生成部、
１００  映像表示装置、１０２  駆動回路
【図１】
2020016765.tif 000003
【図２】
2020016765.tif 000004
【図３】
2020016765.tif 000005
【図４】
2020016765.tif 000006
【図５】
2020016765.tif 000007
【図６】
2020016765.tif 000008
【図７】
2020016765.tif 000009
【図８】
2020016765.tif 000010
【図９】
2020016765.tif 000011
【図１０】
2020016765.tif 000012
【図１１】
2020016765.tif 000013
【図１２】
2020016765.tif 000014
【図１３】
2020016765.tif 000015